(57)【要約】【課題】耐火性の向上を図ることができる階段支持構造を提供する。【解決手段】住宅の柱１２及び階段梁１３の少なくとも一方を含む骨格部材に階段２０を支持させるための階段支持構造であって、階段２０が取り付けられる取付部４１及び取付部４１を支持する支持部４２を有する金物４０と、骨格部材に設けられ、金物４０の支持部４２が固定される固定部５０と、骨格部材に取り付けられ、骨格部材と固定部５０に固定された金物４０の支持部４２とを被覆して階段２０側の空間と反階段２０側の空間とを区画する後側石膏ボード１１Ｂと、を具備し、金物４０の取付部４１は、後側石膏ボード１１Ｂを介して階段２０側の空間に突出される。【選択図】図８
2019011651.tif 000002
【特許請求の範囲】
【請求項１】
建物の柱及び梁の少なくとも一方を含む骨格部材に階段を支持させるための階段支持構造であって、
前記階段が取り付けられる取付部及び前記取付部を支持する支持部を有する金物と、
前記骨格部材に設けられ、前記金物の前記支持部が固定される固定部と、
前記骨格部材に取り付けられ、前記骨格部材と前記固定部に固定された前記金物の前記支持部とを被覆して階段側の空間と反階段側の空間とを区画する板状部材と、
を具備し、
前記金物の前記取付部は、前記板状部材を介して前記階段側の空間に突出される、
階段支持構造。
【請求項２】
前記固定部は、前記金物の前記支持部を受けるために凹んだ凹み部を具備する、
請求項１に記載の階段支持構造。
【請求項３】
前記固定部の前記凹み部は、凹み深さが少なくとも前記支持部の厚みよりも大きくなるように形成される、
請求項２に記載の階段支持構造。
【請求項４】
前記固定部の前記凹み部は、凹み深さが前記支持部の厚みと一致するように形成される、
請求項２に記載の階段支持構造。
【請求項５】
前記固定部は、前記骨格部材のうち前記梁に設けられ、
前記固定部の前記凹み部は、前記梁の上下に開放するように形成される、
請求項２から請求項４までのいずれか一項に記載の階段支持構造。
【請求項６】
前記板状部材は、前記金物の前記取付部が挿通される開口部を具備し、
前記開口部と前記取付部との間には、耐火パテが充填される、
請求項１から請求項５までのいずれか一項に記載の階段支持構造。
【請求項７】
前記金物の前記取付部は、一対設けられ、
前記金物の前記支持部は、前記一対の前記取付部の間に介在される、
請求項１から請求項６までのいずれか一項に記載の階段支持構造。
【発明の詳細な説明】
【技術分野】
【０００１】
本発明は、階段を支持させるための階段支持構造の技術に関する。
【背景技術】
【０００２】
従来、階段を支持させるための階段支持構造の技術は公知となっている。例えば、特許文献１に記載の如くである。
【０００３】
特許文献１には、住宅に複数のユニットからなる階段構造が設けられた技術が開示されている。当該技術において、例えば複数のユニットのうち踊り場ユニットは、室内側からスクリュー釘やビス等が壁材（板状部材）に打ち込まれることにより、当該壁材に固定される。こうして、踊り場ユニットは、壁材から室内側に突出するように支持される。
【０００４】
こうして、特許文献１に記載の技術においては、耐火性を有する石膏ボードにより壁材を構成すると共に、当該壁材の室外側の空間が室内側へ露出しないため、耐火性を確保することができる。
【先行技術文献】
【特許文献】
【０００５】
【特許文献１】特開平１０−２４５９５３号公報
【発明の概要】
【発明が解決しようとする課題】
【０００６】
しかしながら、特許文献１に記載の技術のように、壁材（石膏ボード）にスクリュー釘やビス等を打ち込んだ場合、人の上り下りに応じて階段が振動すると、スクリュー釘やビス等と壁材とが干渉することにより、当該壁材に割れや凹みが生じるおそれがある。このように、壁材に割れや凹みが生じると、耐火性が低下することとなる。
【０００７】
本発明は以上の如き状況を鑑みてなされたものであり、その解決しようとする課題は、耐火性の向上を図ることができる階段支持構造を提供するものである。
【課題を解決するための手段】
【０００８】
本発明の解決しようとする課題は以上の如くであり、次にこの課題を解決するための手段を説明する。
【０００９】
即ち、請求項１においては、建物の柱及び梁の少なくとも一方を含む骨格部材に階段を支持させるための階段支持構造であって、前記階段が取り付けられる取付部及び前記取付部を支持する支持部を有する金物と、前記骨格部材に設けられ、前記金物の前記支持部が固定される固定部と、前記骨格部材に取り付けられ、前記骨格部材と前記固定部に固定された前記金物の前記支持部とを被覆して階段側の空間と反階段側の空間とを区画する板状部材と、を具備し、前記金物の前記取付部は、前記板状部材を介して前記階段側の空間に突出されるものである。
【００１０】
請求項２においては、前記固定部は、前記金物の前記支持部を受けるために凹んだ凹み部を具備するものである。
【００１１】
請求項３においては、前記固定部の前記凹み部は、凹み深さが少なくとも前記支持部の厚みよりも大きくなるように形成されるものである。
【００１２】
請求項４においては、前記固定部の前記凹み部は、凹み深さが前記支持部の厚みと一致するように形成されるものである。
【００１３】
請求項５においては、前記固定部は、前記骨格部材のうち前記梁に設けられ、前記固定部の前記凹み部は、前記梁の上下に開放するように形成されるものである。
【００１４】
請求項６においては、前記板状部材は、前記金物の前記取付部が挿通される開口部を具備し、前記開口部と前記取付部との間には、耐火パテが充填されるものである。
【００１５】
請求項７においては、前記金物の前記取付部は、一対設けられ、前記金物の前記支持部は、前記一対の前記取付部の間に介在されるものである。
【発明の効果】
【００１６】
本発明の効果として、以下に示すような効果を奏する。
【００１７】
請求項１においては、耐火性の向上を図ることができる。
【００１８】
請求項２においては、板状部材において金物を被覆する部分を他の部分と比較して室内側に凸となるのを抑制することができる。
【００１９】
請求項３においては、板状部材において金物を被覆する部分を他の部分と面一にすることができる。
【００２０】
請求項４においては、板状部材において金物を被覆する部分を他の部分と面一にすることができる。
【００２１】
請求項５においては、作業効率の向上を図ることができる。
【００２２】
請求項６においては、耐火性の向上を図ることができる。
【００２３】
請求項７においては、作業効率の向上を図ることができる。
【図面の簡単な説明】
【００２４】
【図１】本発明の第一実施形態に係る階段支持構造が適用された階段を示す図。
【図２】（ａ）金物の構成を示す斜視模式図。（ｂ）同じく、正面模式図。（ｃ）同じく、平面模式図。
【図３】（ａ）柱及び階段梁の構成の一部を示す正面模式図。（ｂ）同じく、Ａ−Ａ断面模式図。
【図４】階段支持構造の構成を示す斜視模式図。
【図５】柱、階段梁及び金物の組み付け状態を示す斜視模式図。
【図６】柱、階段梁及び金物の組み付け状態を示す分解斜視模式図。
【図７】（ａ）階段支持構造の構成の一部を示す正面模式図。（ｂ）同じく、板状部材が固定される前の階段支持構造の構成の一部を示す正面模式図。
【図８】（ａ）図７（ａ）に示すＢ−Ｂ断面模式図。（ｂ）同じく、一部拡大模式図。
【図９】（ａ）本発明の第二実施形態に係る階段支持構造の金物の構成を示す正面模式図。（ｂ）同じく、平面模式図。
【図１０】（ａ）本発明の第三実施形態に係る階段支持構造の断面模式図。（ｂ）同じく、一部拡大模式図。
【図１１】（ａ）本発明の第四実施形態に係る階段支持構造の断面模式図。（ｂ）同じく、一部拡大模式図。
【発明を実施するための形態】
【００２５】
以下では、図中の矢印に基づいて、前後方向、上下方向及び左右方向を定義して説明を行う。
【００２６】
本発明の一実施形態に係る階段支持構造１は、住宅の階段梁１３に階段２０を支持させるための構造である。まず、図１及び図３を用いて、本発明の一実施形態に係る階段支持構造１が適用された部屋（例えば、リビング）の壁部１０及び階段２０の構成について簡単に説明する。なお、本実施形態において、前記住宅は、例えば２階建ての木造住宅である。
【００２７】
壁部１０は、リビングを取り囲むように形成された壁である。壁部１０は、リビングに面する壁材として、耐火性を有した石膏ボード１１（板状部材）を有する。石膏ボード１１は、複数の柱１２に設けられた下地材に対して、釘等の固定部材を用いて固定される（不図示）。こうして、石膏ボード１１は、リビングにおいて、室内側（階段２０側）の空間と、室外側の空間と、を区画する。なお、石膏ボード１１には、リビングの後端部に配置され、前方を向いた後側石膏ボード１１Ｂや、リビングの左端部に配置され、右方を向いた左側石膏ボード１１Ｌ等が含まれる。
【００２８】
室外側の空間には、前記壁部１０の一部として複数の柱１２や当該複数の柱１２の間に横架された階段梁１３等が配置される（図３参照）。なお、本実施形態において、室外側の空間のうち、後側石膏ボード１１Ｂにより区画された室外側空間（すなわち、後側石膏ボード１１Ｂの後方の室外側空間）にある複数の柱１２や階段梁１３の前側面は、前後方向位置が同一（すなわち、面一）となるように形成される。
【００２９】
階段２０は、耐火性を有する鋼製の階段である。階段２０は、リビングの左後部（後側石膏ボード１１Ｂと左側石膏ボード１１Ｌとにより形成されるコーナー部）近傍に形成される。階段２０は、互いに独立した階段下部２１及び階段上部２２により形成される。
【００３０】
階段下部２１の下端部は、一階部分と接合される（不図示）。階段下部２１の上端部は、上下方向において一階部分と二階部分との中途部に位置する。階段下部２１は、下端部から上端部まで平面視で時計回りに延びるように形成される。
【００３１】
階段上部２２の上端部は、二階部分と接合される（不図示）。階段上部２２の下端部は、上下方向において一階部分と二階部分の中途部（階段下部２１の上端部近傍）に位置する。階段上部２２は、下端部から上端部まで前上方に直線状に延びるように形成される。なお、階段上部２２は、階段支持構造１によって階段梁１３に支持される。そこで、以下では、階段上部２２の構成について、より詳細に説明する。
【００３２】
階段上部２２は、主として、ささら桁２４と、段板２５と、を具備する。
【００３３】
ささら桁２４は、後述する段板２５を下方から支持するものである。ささら桁２４は、左右一対設けられる。ささら桁２４は、板面を左右方向へ向けた略板状に形成される。ささら桁２４は、水平部２７と、傾斜部２８と、を具備する。
【００３４】
水平部２７は、ささら桁２４の下端部を構成するものである。水平部２７は、長手方向を前方へ向けた側面視略矩形状に形成される。水平部２７は、後側石膏ボード１１Ｂから前方に延びるように形成される。傾斜部２８は、ささら桁２４の下端部以外を構成するものである。傾斜部２８は、長手方向を前上方へ向けた側面視略矩形状（より詳細には、側面視で長手側の一辺が凸凹した略矩形状）に形成される。傾斜部２８の下端部は、水平部２７の前端部に接合される。傾斜部２８は、水平部２７と一体的に形成される。
【００３５】
段板２５は、階段上部２２を上り下りする人の足がのる部分である。段板２５は、板面を上下方向へ向けた平面視略矩形状に形成される。段板２５は、複数設けられ、それぞれささら桁２４に載置される。具体的には、複数の段板２５のうち一番下の段板２５は、ささら桁２４の水平部２７に載置される。複数の段板２５のうち一番下以外の段板２５は、ささら桁２４の傾斜部２８（より詳細には、前記凸凹した部分）に、前上方向に互いに間隔をあけて載置される。
【００３６】
このように構成された階段上部２２（階段２０）は、上述の如く階段支持構造１によって階段梁１３に支持される。
【００３７】
以下では、図２から図４を用いて、階段支持構造１を構成する各部材の構成について説明する。
なお、説明に使用される図面は模式図であり、各部材の大きさは説明の便宜上誇張して図示されている。
【００３８】
階段支持構造１は、当該階段支持構造１を構成する部材として、主として、金物４０と、固定部５０と、後側石膏ボード１１Ｂと、耐火パテ７０と、を具備する。
【００３９】
図２及び図４に示す金物４０は、平面視で前方が開放されたコの字状に形成されるものである。金物４０は、金属板により構成され、比較的高い剛性を有する。金物４０は、主として、取付部４１と、支持部４２と、を具備する。
【００４０】
取付部４１は、金物４０のうち、階段上部２２が取り付けられる部分である。取付部４１は、板面を左右方向へ向けた略板状であって、側面視で略矩形状に形成される。取付部４１は、平面視で長手方向が前後方向に延びるように形成される。取付部４１には、複数（本実施形態においては、４つ）のボルト孔４１ａが形成される。取付部４１は、厚さ（左右方向幅）が例えば６ｍｍに形成される。取付部４１は、左右一対設けられる。左右の取付部４１は、同一の大きさ及び形状に形成される。左右の取付部４１は、互いに所定の間隔をあけて配置される。左右の取付部４１は、側面視で互いに重複するように形成される。
【００４１】
支持部４２は、金物４０のうち、左右の取付部４１を支持する部分である。支持部４２は、板面を前後方向へ向けた略板状であって、正面視で略矩形状に形成される。こうして、支持部４２の板面（前側面及び後側面）は、左右の取付部４１の板面（左側面及び右側面）に対して直角となるように形成される。支持部４２は、平面視で長手方向が左右方向に延びるように形成される。支持部４２には、複数（本実施形態においては、８つ）のボルト孔４２ａが形成される。支持部４２は、厚さ（前後方向幅）が例えば６ｍｍに形成される。支持部４２は、左右の取付部４１の間に介在される。具体的には、支持部４２の左端部は、左側の取付部４１と接合される。また、支持部４２の右端部は、右側の取付部４１と接合される。こうして、左右の取付部４１は、支持部４２により互いに接続される。
【００４２】
このような、左右の取付部４１及び支持部４２は、一体的に形成される。左右の取付部４１及び支持部４２（すなわち、金物４０）は、一枚の細長い板状の部材のうち、長手方向の一端側及び他端側が、その他の部分に対して直角に曲げられることにより形成される。
【００４３】
図３及び図４に示す固定部５０は、金物４０の支持部４２が固定される部分である。固定部５０は、階段梁１３に形成される。固定部５０は、階段梁１３の前側面が後方へ凹んだ凹み部５１を具備する。
【００４４】
凹み部５１は、金物４０の支持部４２を受ける部分である。凹み部５１は、正面視で階段梁１３の左右中央部に形成される。凹み部５１は、階段梁１３の前側面が上下方向に沿って切り欠かれたように形成される。すなわち、凹み部５１は、階段梁１３から上方及び下方へ開放されるように形成される。凹み部５１は、正面視で略矩形状に形成される。凹み部５１の左右方向幅は、金物４０の支持部４２の左右方向幅と略同一に形成される。凹み部５１の凹み深さ（前後方向幅）は、例えば６ｍｍ形成される。すなわち、凹み部５１の凹み深さは、金物４０の支持部４２の厚さ（前後方向幅）と略同一に形成される。
【００４５】
図４に示す後側石膏ボード１１Ｂは、上述の如く、リビングの後端部に配置され、前方を向いた板状部材である。後側石膏ボード１１Ｂは、室内側の空間と室外側の空間とを前後に区画する。後側石膏ボード１１Ｂは、主として、室内側ボード６１と、室外側ボード６２と、開口部６３と、を具備する。
【００４６】
室内側ボード６１及び室外側ボード６２は、それぞれ板面を前後方向へ向けた板状部材である。室内側ボード６１及び室外側ボード６２は、それぞれ耐火性を有する石膏ボードにより構成される。室内側ボード６１及び室外側ボード６２の厚さ（前後方向幅）は、それぞれ例えば２１ｍｍに形成される。室内側ボード６１及び室外側ボード６２は、前後に対向して接合される。こうして、２枚の厚さ２１ｍｍの石膏ボードにより、１枚の石膏ボード（後側石膏ボード１１Ｂ）が形成される。すなわち、後側石膏ボード１１Ｂの厚さ（前後方向幅）は、全体として４２ｍｍに形成される。
【００４７】
開口部６３は、後側石膏ボード１１Ｂを貫通する部分である。開口部６３は、室内側の空間と室外側の空間とを連通する。開口部６３は、正面視で上下方向に細長いスリット状に形成される。開口部６３の上下方向幅（長手方向幅）は、金物４０の取付部４１の上下方向幅よりも若干大きく形成される。また、開口部６３の左右方向幅（短手方向幅）は、金物４０の取付部４１の左右方向幅よりも若干大きく形成される。こうして、開口部６３は、金物４０の取付部４１が挿通された場合に、当該取付部４１と干渉しないように形成される。開口部６３は、左右一対設けられる。左右の開口部６３は、金物４０の左右の取付部４１とそれぞれ対応する位置に形成される。
【００４８】
図４に示す耐火パテ７０は、後側石膏ボード１１Ｂの開口部６３に金物４０の取付部４１が挿通された状態において、当該開口部６３と取付部４１との間に充填される。耐火パテ７０は、開口部６３と取付部４１との間の密閉性を確保することができる。
【００４９】
次に、図４から図８を用いて、階段支持構造１の構成（各部材の組み付け構成）について説明する。
【００５０】
図５から図７に示すように、まず金物４０が階段梁１３に固定される。具体的には、金物４０が階段梁１３の前方に配置され、当該金物４０の支持部４２と階段梁１３の固定部５０との互いの位置が合わせられる。その後、金物４０が後方へ移動され、金物４０の支持部４２が固定部５０の凹み部５１に受けられ、当該凹み部５１内に収容される。本実施形態において、図７（ｂ）に示すように、金物４０は、固定部５０（凹み部５１内）の上下中央部に位置するように収容される。こうして、金物４０の支持部４２が固定部５０の凹み部５１内に収容され、支持部４２と凹み部５１の底面（前側面）とが当接された状態で図示せぬボルトがボルト孔４２ａに締結される。これにより、金物４０の支持部４２が固定部５０の凹み部５１に固定される。
【００５１】
ここで、上述の如く、凹み部５１の凹み深さと金物４０の支持部４２の厚さ（前後方向幅）とは、略同一（具体的には、６ｍｍ）に形成されている。すなわち、図８に示すように、金物４０の支持部４２が固定部５０の凹み部５１に固定された状態で、金物４０の支持部４２の前側面は、階段梁１３（より詳細には、階段梁１３のうち凹み部５１以外の部分）の前側面、及び、柱１２の前側面と、前後方向位置が同一（すなわち、面一）となるように形成される。
【００５２】
こうして、金物４０が階段梁１３に固定されると、次に後側石膏ボード１１Ｂが取り付けられる。具体的には、後側石膏ボード１１Ｂが、柱１２及び（金物４０が固定された）階段梁１３の前方に配置され、これらの部材との互いの位置が合わせられる。例えば、後側石膏ボード１１Ｂの左右の開口部６３が、金物４０の左右の取付部４１と前後方向に重複するように配置される。その後、後側石膏ボード１１Ｂが後方へ移動され、図８に示すように、後側石膏ボード１１Ｂの後側面が、柱１２の前側面、階段梁１３（より詳細には、階段梁１３のうち凹み部５１以外の部分）の前側面、及び、金物４０の支持部４２の前側面と当接され、これらの前側面を被覆することとなる。こうして、後側石膏ボード１１Ｂは、金物４０の支持部４２等と当接された状態（支持部４２等を被覆した状態）で、釘等の固定部材を用いて図示せぬ下地材を介して柱１２に固定される（不図示）。
【００５３】
ここで、上述の如く金物４０の支持部４２の前側面、階段梁１３（より詳細には、階段梁１３のうち凹み部５１以外の部分）の前側面、及び、柱１２の前側面は、面一となるように形成されている。すなわち、図８に示すように、後側石膏ボード１１Ｂのうち、金物４０の支持部４２を被覆した部分、階段梁１３（より詳細には、階段梁１３のうち凹み部５１以外の部分）を被覆した部分、及び、柱１２を被覆した部分は、それぞれ前後方向位置が同一（すなわち、面一）となるように形成される。換言すれば、後側石膏ボード１１Ｂ全体（リビング後端部に配置され、前方を向いた壁部１０）が面一となるように形成される。
【００５４】
また、後側石膏ボード１１Ｂが取り付けられると、図４、図７（ａ）及び図８に示すように、後側石膏ボード１１Ｂの開口部６３に、金物４０の取付部４１が後方から挿通された状態となる。すなわち、金物４０の取付部４１は、室外側の空間から室内側の空間に突出される。こうして、リビング（室内側の空間）においては、後側石膏ボード１１Ｂを隔てて室外側の空間に配置された各種の部材（具体的には、柱１２や、階段梁１３、金物４０等）のうち、金物４０の取付部４１だけが開口部６３を介して露出した状態となる。
【００５５】
また、後側石膏ボード１１Ｂの開口部６３に金物４０の取付部４１が挿通された状態となると、図４、図７（ａ）及び図８（ｂ）に示すように、当該開口部６３と取付部４１との間に耐火パテ７０が充填される。こうして、開口部６３と取付部４１との間の密閉性が耐火パテ７０により確保される。換言すれば、リビング（室内側の空間）においては、金物４０の取付部４１が開口部６３を介して露出した状態となるが、室内側の空間と室外側の空間とは互いに密閉された状態となる（連通しない）。
【００５６】
こうして、リビングにおいて、金物４０の取付部４１が開口部６３を介して露出した状態となると、当該取付部４１に階段上部２２が取り付けられる（図１参照）。具体的には、取付部４１と階段上部２２のささら桁２４の水平部２７とが、左右方向に重複した状態となるように互いの位置が合わせられる。そして、図示せぬボルトがボルト孔４１ａに締結され、ささら桁２４の水平部２７（すなわち、階段上部２２）が金物４０の取付部４１に取り付けられる。
【００５７】
以上のように、本発明の一実施形態に係る階段支持構造１は、
住宅（建物）の階段梁１３に階段２０を支持させるための階段支持構造であって、
前記階段２０が取り付けられる取付部４１及び前記取付部４１を支持する支持部４２を有する金物４０と、
前記階段梁１３に設けられ、前記金物４０の前記支持部４２が固定される固定部５０と、
前記階段梁１３に取り付けられ、前記階段梁１３と前記固定部５０に固定された前記金物４０の前記支持部４２とを被覆して室内側（階段２０側）の空間と室外側（反階段２０側）の空間とを区画する後側石膏ボード１１Ｂ（板状部材）と、
を具備し、
前記金物４０の前記取付部４１は、前記後側石膏ボード１１Ｂ（板状部材）を介して前記階段２０側の空間に突出されるものである。
【００５８】
このような構成により、耐火性の向上を図ることができる。
【００５９】
具体的には、例えばスクリュー釘やビス等の接合部材を室内側から後側石膏ボード１１Ｂに打ち込むことなく階段２０を階段梁１３に支持させることができる。そのため、人の上り下りに応じて階段２０が振動した場合であっても、前記スクリュー釘やビス等が後側石膏ボード１１Ｂに干渉することがない。すなわち、人の上り下りに応じて、後側石膏ボード１１Ｂに割れや凹みが生じるのを防止することができるため、耐火性の向上を図ることができる。
【００６０】
また、階段支持構造１において、
前記固定部５０は、前記金物４０の前記支持部４２を受けるために凹んだ凹み部５１を具備するものである。
【００６１】
このような構成により、後側石膏ボード１１Ｂが取り付けられた場合に、後側石膏ボード１１Ｂのうち、金物４０の支持部４２を被覆した部分が、階段梁１３（より詳細には、階段梁１３のうち凹み部５１以外の部分）を被覆した部分、及び、柱１２を被覆した部分と、前後方向位置が大きく異なるのを抑制することができる。すなわち、後側石膏ボード１１Ｂにおいて金物４０を被覆する部分を、他の部分と比較して室内側に凸となるのを抑制することができる。これにより、リビングの壁部１０における意匠性や利便性の向上を図ることができる。
【００６２】
また、階段支持構造１において、
前記固定部５０の前記凹み部５１は、凹み深さが前記支持部４２の厚みと一致するように形成されるものである。
【００６３】
このような構成により、後側石膏ボード１１Ｂが取り付けられた場合に、後側石膏ボード１１Ｂのうち、金物４０の支持部４２を被覆した部分を、階段梁１３（より詳細には、階段梁１３のうち凹み部５１以外の部分）を被覆した部分、及び、柱１２を被覆した部分と、前後方向位置が同一となるように形成することができる。すなわち、後側石膏ボード１１Ｂにおいて金物４０を被覆する部分を、他の部分と面一にすることができる。これにより、リビングの壁部１０における意匠性や利便性のより一層の向上を図ることができる。
【００６４】
また、階段支持構造１において、
前記固定部５０は、前記骨格部材のうち階段梁１３に設けられ、
前記固定部５０の前記凹み部５１は、前記階段梁１３の上下に開放するように形成されるものである。
【００６５】
このような構成により、金物４０の支持部４２を固定部５０に固定する際に、当該支持部４２と固定部５０との位置合わせを容易とすることができる。また、上下方向の大きさが異なる複数種類の金物４０を使用する場合であっても、１種類の階段梁１３を準備しておけば、当該複数種類の金物４０の支持部４２を固定部５０に固定することができる。このように、作業効率の向上を図ることができる。
【００６６】
また、階段支持構造１において、
前記後側石膏ボード１１Ｂ（板状部材）は、前記金物４０の前記取付部４１が挿通される開口部６３を具備し、
前記開口部６３と前記取付部４１との間には、耐火パテ７０が充填されるものである。
【００６７】
このような構成により、リビング（室内側の空間）において、（室外側の空間に配置された金物４０の）取付部４１が開口部６３を介して露出した状態となるが、室内側の空間と室外側の空間とを互いに密閉された状態とすることがでる（連通させないことができる）。こうして、耐火性の向上を図ることができる。
【００６８】
また、階段支持構造１において、
前記金物４０の前記取付部４１は、一対設けられ、
前記金物４０の前記支持部４２は、前記一対の前記取付部４１の間に介在されるものである。
【００６９】
このような構成により、一つの支持部４２を固定部５０に固定することによって、２つの取付部４１を、リビング（室内側の空間）に露出させることができる。こうして、作業性の向上を図ることができる。
【００７０】
なお、階段梁１３は、梁の実施の一形態である。
また、階段梁１３は、骨格部材の実施の一形態である。
また、後側石膏ボード１１Ｂは、板状部材の実施の一形態である。
また、室内側の空間は、階段側の空間の実施の一形態である。
また、室外側の空間は、反階段側の空間の実施の一形態である。
【００７１】
以上、一実施形態を説明したが、本発明は上記構成に限定されるものではなく、特許請求の範囲に記載された発明の範囲内で種々の変更が可能である。
【００７２】
例えば、本実施形態において、固定部５０は階段梁１３に形成されるものであったが、柱１２に形成されてもよく、また階段梁１３及び柱１２の両方を跨ぐように形成されるものであってもよい。すなわち、本実施形態において、骨格部材の実施の一形態として階段梁１３を例示していたが、骨格部材に、柱１２を含ませることができる。
【００７３】
また、本実施形態においては、後側石膏ボード１１Ｂは、２枚の石膏ボード（室内側ボード６１及び室外側ボード６２）から形成されていたが、１枚の石膏ボードから形成されてもよく、また３枚以上の石膏ボードから形成されてもよい。
【００７４】
また、石膏ボードは、板状部材の実施の一形態であり、当該板状部材は石膏ボードに限定するものではない。ただし、防火の観点から、板状部材は、耐火性を有するものであることが望ましい。
【００７５】
また、本実施形態においては、階段上部２２の下端部（ささら桁２４の水平部２７）が金物４０の取付部４１に取り付けられる構成について説明したが、金物４０の取付部４１に取り付けられる階段の部分は、例えば階段上部２２の上端部であったり、階段下部２１の上端部や下端部であってもよく、限定するものではない。
【００７６】
また、本実施形態においては、建物として２階建ての木造住宅に階段支持構造１が適用された場合について例示したが、当該階段支持構造１が適用される対象は、軽量鉄骨等の木造以外の構造の住宅やマンション等であってもよい。また、建物は、住宅に限定するものではなく、オフィスビルや病院等であってもよい。
【００７７】
また、金物４０の大きさや形状は、支持する階段２０の大きさや形状に応じて任意のものを採用することができる。以下では、図９を用いて、階段支持構造１の第二実施形態として、変更した金物４０の構成について説明する。
【００７８】
図９に示す第二実施形態に係る階段支持構造１において、第一実施形態と異なる点は、金物４０の取付部４１に底板４１ｂが設けられる点である。底板４１ｂは、板面を上下方向へ向けた板状部材であり、平面視略矩形状に形成される。底板４１ｂは、取付部４１の下端部に形成される。こうして、取付部４１は、全体として正面視略Ｌ字状に形成される。このような構成によって、金物４０の取付部４１に階段上部２２を取り付ける場合に、当該階段上部２２の水平部２７を取付部４１の底板４１ｂに載置させ、当該載置させた状態でボルトを締結することができる。こうして、金物４０の取付部４１に階段上部２２を取り付ける場合の作業性の向上を図ることができる。
【００７９】
なお、取付部４１の形状が、正面視略Ｌ字状に形成された場合には、後側石膏ボード１１Ｂの開口部６３も、当該取付部４１と同様に、正面視略Ｌ字状に形成されることが望ましい。このように、開口部６３の形状も、第一実施形態に例示したように上下方向に細長いスリット状に限定することなく、取付部４１の形状に応じて任意のものを採用することができる。
【００８０】
さらに、金物４０と同様に、階段梁１３に形成された固定部５０の構成も、本実施形態（第一実施形態）に例示したものに限定されない。以下では、図１０及び図１１を用いて、階段支持構造１の第三実施形態及び第四実施形態として、変更した固定部５０の構成について説明する。
【００８１】
図１０に示す第三実施形態に係る階段支持構造１において、第一実施形態と異なる点は、固定部５０の凹み部５１の凹み深さが、金物４０の支持部４２の厚さ（前後方向幅）よりも大きく形成される点である。なお、このような構成であっても、後側石膏ボード１１Ｂのうち、金物４０の支持部４２を被覆した部分を、階段梁１３（より詳細には、階段梁１３のうち凹み部５１以外の部分）を被覆した部分、及び、柱１２を被覆した部分と、前後方向位置が同一となるように形成することができる。すなわち、後側石膏ボード１１Ｂにおいて金物４０を被覆する部分を他の部分と面一にすることができる。これにより、リビングの壁部１０における意匠性や利便性のより一層の向上を図ることができる。
【００８２】
このように、第三実施形態に係る階段支持構造１において、
前記固定部５０の前記凹み部５１は、凹み深さが少なくとも前記支持部４２の厚みよりも大きくなるように形成されるものである。
【００８３】
このような構成により、リビングの壁部１０における意匠性や利便性のより一層の向上を図ることができる。また、固定部５０の凹み部５１の凹み深さを、金物４０の支持部４２の厚さと略同一とする場合と比べて、精密な加工精度が要求されないため、作業効率の向上を図ることができる。また、厚み（前後方向幅）が異なる複数種類の金物４０を使用する場合であっても、１種類の階段梁１３を準備しておけば、後側石膏ボード１１Ｂにおいて金物４０を被覆する部分が室内側に凸となるのを防止することができる（他の部分と面一にすることができる）。
【００８４】
図１１に示す第四実施形態に係る階段支持構造１において、第一実施形態と異なる点は、固定部５０が凹み部５１を有さない点である。この場合、固定部５０の前側面は、階段梁１３のうち、金物４０の支持部４２が固定されていない部分の前側面と、前後方向位置が同一（面一）となるように形成される。
【００８５】
なお、この場合においても、図１１に示すように、後側石膏ボード１１Ｂのうち、金物４０の支持部４２を被覆した部分の厚みを、階段梁１３（より詳細には、階段梁１３のうち金物４０の支持部４２が固定されていない部分）を被覆した部分、及び、柱１２を被覆した部分の厚みよりも薄くすることによって、当該後側石膏ボード１１Ｂ全体を面一とすることができる。なお、図１１に示す構成においては、後側石膏ボード１１Ｂを構成する室内側ボード６１及び室外側ボード６２のうち、室外側ボード６２の厚みを薄くすることにより、後側石膏ボード１１Ｂの支持部４２を被覆した部分の厚み（前後方向幅）を薄くしている。
【符号の説明】
【００８６】
１      階段支持構造
１１Ｂ  後側石膏ボード
１２    柱
１３    階段梁
２０    階段
４０    金物
４１    取付部
４２    支持部
５０    固定部
【図１】
2019011651.tif 000003
【図２】
2019011651.tif 000004
【図３】
2019011651.tif 000005
【図４】
2019011651.tif 000006
【図５】
2019011651.tif 000007
【図６】
2019011651.tif 000008
【図７】
2019011651.tif 000009
【図８】
2019011651.tif 000010
【図９】
2019011651.tif 000011
【図１０】
2019011651.tif 000012
【図１１】
2019011651.tif 000013